(57)【特許請求の範囲】
【請求項１】
ごみの種類毎に特定された寸法を有する複数種類の容器と、各家庭から各々下水道まで連通しその下水道にごみを収容した前記容器を流過せしめるための第１の流路と、下水道に連通する複数の第２の流路は各々ごみの処理施設に連通する様に構成されたごみ搬送装置において、下水道に回転自在な円柱状の選別機構を設け、該選別機構は同心円状に延在する仕切り壁を有しており、該仕切り壁の数は選別するごみの種類に対応しており、仕切り壁の各々には多数の開口部が設けられ、該開口部の断面寸法は半径方向外側に位置する仕切り壁ほど小さく設定されており、前記第１の流路は選別機構の中心部或いはその近傍位置に連通し、仕切り壁で仕切られたベッセルの各々が対応する第２の流路に連通されていることを特徴とするごみ搬送装置。
【発明の詳細な説明】
【０００１】
【発明の属する技術分野】
本発明は、家庭で発生するごみを分別して処理施設に搬送するごみの搬送装置に関する。
【０００２】
【従来の技術】
一般家庭で発生するごみは、焼却、リサイクルなどの処理を行うため、例えば、可燃ごみ、不燃ごみ、びん・かん（資源ごみ）等に分別して棄てられ、各々回収されて処理施設に送られている。
このような分別処理を行うため、指定日時に回収が行われており、常時、棄てることはできないので不便であり、また、回収指定日まで家庭内にごみを溜めておくのは不衛生でもある。
【０００３】
【発明が解決しようとする課題】
本発明は、上記従来のごみ搬送の問題点に対処するために提案されたものであり、何時ごみを投棄してもよく、その分別・搬送が容易かつ効率よく行うことができるごみ搬送装置及び搬送方法を提供することを目的としている。
【０００４】
【課題を解決するための手段】
本発明のごみ搬送装置は、ごみの種類（びん・かん、不燃ごみ、可燃ごみ等の分別種類）毎に特定された寸法を有する複数種類の容器（例えば、寸法の異なる複数種類の球形カプセル）（Ｃｈ、Ｃｉ、Ｃｊ、Ｃｋ）と、各家庭（Ｈ）から各々下水道（３）まで連通しその下水道（３）にごみを収容した前記容器（Ｃｈ、Ｃｉ、Ｃｊ、Ｃｋ）を流過せしめるための第１の流路（２）と、下水道（３）に連通する複数の第２の流路（９５ｄ、９４ｄ、９３ｄ、９２ｄ）は各々ごみの処理施設（５）に連通する様に構成されたごみ搬送装置において、下水道（３）に回転自在な円柱状の選別機構（９０）を設け、該選別機構（９０）は同心円状に延在する仕切り壁（９５、９４、９３、９２）を有しており、該仕切り壁（９５、９４、９３、９２）の数は選別するごみの種類に対応しており、仕切り壁（９５、９４、９３、９２）の各々には多数の開口部（９５ａ、９４ａ、９３ａ、９２ａ）が設けられ、該開口部（９５ａ、９４ａ、９３ａ、９２ａ）の断面寸法は半径方向外側に位置する仕切り壁（９５、９４、９３、９２）ほど小さく設定されており、前記第１の流路（２）は選別機構（９０）の中心部（９０ｃ）或いはその近傍位置に連通し、仕切り壁（９５、９４、９３、９２）で仕切られたベッセル（９５Ｖ、９４Ｖ、９３Ｖ、９２Ｖ）の各々が対応する第２の流路（９５ｄ、９４ｄ、９３ｄ、９２ｄ）に連通されている。
【０００５】
上記の構成を備えた本発明によれば、下水道（３）がごみ収集搬送システムとして利用され、その水流によって家庭（Ｈ）ごみが処理施設（５）へ搬送されるようになっている。
すなわち、家庭（Ｈ）から排出されるごみは、各家庭（Ｈ）においてその種類毎に、特定された寸法（形状、または色など他の特定できる区分でもよい）を有する容器（例えばカプセル）（Ｃｈ、Ｃｉ、Ｃｊ、Ｃｋ）に各々収容し、当該容器（Ｃｈ、Ｃｉ、Ｃｊ、Ｃｋ）は第１の流路（２）、下水道（３）、及び第２の流路（９５ｄ、９４ｄ、９３ｄ、９２ｄ）を介して流過され、その容器（Ｃｈ、Ｃｉ、Ｃｊ、Ｃｋ）の寸法（または他の区分手段）によって分別されてごみ処理施設（５）にて処理されている。
【０００６】
このように、ごみは容器（Ｃｈ、Ｃｉ、Ｃｊ、Ｃｋ）内に収容されて流過されているので下水道（３）や第１及び第２の流路内に散逸して、管路内や下水が汚染されることが防止される。
【０００７】
この場合、円柱状の選別機構（９０）の外周部（９２）に水車翼（９２ａ）を取り付け、例えば運河（Ｒ）等により当該選別機構（９０）を回動させれば、選別機構（９０）の回転のためのエネルギコストが低く抑えられるので、大変好ましい。但し、選別機構（９０）の駆動源としては、水流のみならず、電気や機械的動力等、各種の力が利用できる。
【０００８】
係る構成を具備する場合には、ごみが充填された容器（Ｃｈ、Ｃｉ、Ｃｊ、Ｃｋ）は選別機構（９０）の中心部（９０ｃ）或いはその近傍位置に流入するが、選別機構（９０）が回転することにより個々の容器（Ｃｈ、Ｃｉ、Ｃｊ、Ｃｋ）に半径方向外方へ求心力を越える遠心力が作用し、仕切り壁（９５、９４、９３）に押し付けられる。ここで、仕切り壁（９５、９４、９３）の開口部（９５ａ、９４ａ、９３ａ）の寸法よりも小さい容器（ＣｉまたはＣｊまたはＣｋ）は当該開口部（９５ａ、９４ａ、９３ａ）を介して半径方向外方へ移動するが、開口部（９５ａ、９４ａ、９３ａ）の寸法よりも大きい容器（ＣｈまたはＣｉまたはＣｊ）は仕切り壁（９５、９４、９３）を越えることは出来ない。
【０００９】
この様に、同心円状に配置された仕切り壁（９５、９４、９３）により、容器（Ｃｈ、Ｃｉ、Ｃｊ、Ｃｋ）はその大きさごとに選別される。換言すれば、容器（Ｃｈ、Ｃｉ、Ｃｊ、Ｃｋ）に充填されたごみは、仕切り壁（９５、９４、９３）により仕切られた円形或いは環状の領域毎に選別されるのである。
【００１０】
仕切り壁（９５、９４、９３）により仕切られた円形或いは環状の領域の各々は、それぞれ別個に設けられた第２の流路（９５ｄ、９４ｄ、９３ｄ、９２ｄ）に連通している。例えば、円形或いは環状の領域の各々の底部或いはその１部が開放自在であり、複数の第２の流路（９５ｄ、９４ｄ、９３ｄ、９２ｄ）の各々に連通するように構成されている。
【００１１】
この様に構成した場合においては、選別機構（９０）の回転によりごみを充填した容器（Ｃｈ、Ｃｉ、Ｃｊ、Ｃｋ）が大きさ毎に分離したならば、選別機構（９０）の回転を停止して、第２の流路（９５ｄ、９４ｄ、９３ｄ、９２ｄ）との連通口（９５ｂ、９４ｂ、９３ｂ、９２ｂ）を開放すれば、大きさが異なる容器（Ｃｈ、Ｃｉ、Ｃｊ、Ｃｋ）毎に、別個の第２の流路（９５ｄ、９４ｄ、９３ｄ、９２ｄ）を流れることとなる。
【００１２】
ここで、ごみの処理を連続的に行うためには、選別機構（９０）を複数個設け、第１の流路（２）を選別機構（９０）の数だけ分岐せしめ、常に何れかの選別機構（９０Ａまたは９０Ｂ）が回転しているように構成すれば良い。
【００１３】
【発明の実施の形態】
以下、図面を参照して本発明の実施形態を説明する。
先ず図１〜図３により本発明の基本概念について説明する。各家庭Ｈには分別したごみを詰めた複数種類（図示例では３種類）のカプセル（容器：後記にて詳述する）Ｃ１〜Ｃ３（代表する場合は符号Ｃと記す）を投入するシューター１が設置されており、そのシューター１は、第１の流路２により下水道３に連通されている。
【００１４】
そして、下流の下水道３には、前記カプセルＣ１〜Ｃ３の種類に対応した複数（図示例では３本）の第２の流路４ａ〜４ｃが設けられ、各々ごみ処理施設５に連通されている。
また、それらの第２の流路４ａ〜４ｃ（代表する場合は符号４と記す）の各内径は、前記カプセルＣ１〜Ｃ３の各特定の外径が各々通過できる寸法に形成され、小径から大径に順次配設されて分別できるようにされている。
【００１５】
カプセルＣは、その素材として、不燃ごみ用には不燃ごみから再利用した素材、可燃ごみ用には可燃ごみから再利用した素材、資源ごみ（びん・かん等）用には資源ごみを再利用した素材を各々使用する。このようにすることで、カプセルＣごとごみを廃棄することができ、再利用が可能である。
【００１６】
または、カプセルＣに、水に浮いて腐食に強い素材を使用し、処理施設５でごみを収集後、空いたカプセルＣを集め洗浄して再利用をする。
【００１７】
そして、カプセルＣ１〜Ｃ３は、例えば、不燃、可燃、資源などのごみの分別種類によって第２の流路４ａ〜４ｃで選別区分するため、各々特定の外径の球形状に形成されている。
なお、選別のためにカプセルＣを、各々色を変える、あるいは形状を変えるようにしてもよい。
【００１８】
また、ごみを装填した後のカプセルＣの密閉手段としては、
電磁石によって密閉する電磁石方式、
密閉部分を真空にして圧着する真空方式、
密閉部分をねじにより密閉するねじ式、
カプセル部分をテープ止めして密閉するテープ方式、
などからいずれかを選択し、中のごみが漏出するのを防止する。
【００１９】
なお、下水道３及び各流路２、４に対し、その配管のつまり防止の対策を実施するのが好ましい。
すなわち、図２に示すように、各家庭Ｈの第１の流路２から下水道３に通じる部分に開閉弁６を設ける。そして、下水道３を流れるカプセルＣの量を監視して制御装置７によりその開閉弁６を制御し、下水道３に流すカプセルＣの量を調整し、つまりを防止する。
あるいは、カプセルＣの形状・大きさを適切なものに選択して、管路へのつまりを防止する。
【００２０】
図１の構成によるごみの選別方法を、図３のフローチャートによって説明する。  ステップＳ１において、家庭Ｈ内のごみを本例では、可燃ごみＧ１、不燃ごみＧ２、びん・かんＧ３、の３種類に分別する。
ステップＳ２において、サイズ別の識別カプセルＣ１＞Ｃ２＞Ｃ３のそれぞれに可燃ごみＧ１、不燃ごみＧ２、びん・かんＧ３、を収容して密閉する。これが容器に対応するごみを収容する工程である。
【００２１】
ステップＳ３では、ごみの収容されたカプセルＣ１、Ｃ２、Ｃ３をシューターに投入する。
ステップＳ４では、カプセルＣ１、Ｃ２、Ｃ３がシューターから第１の流路２を経て下水道３に落下して流入する。
ステップＳ５では、カプセルＣ１、Ｃ２、Ｃ３が下水道３内を混在して流動する。
これらのステップＳ３〜Ｓ５が、容器を流過させる工程である。
【００２２】
ステップＳ６では、カプセルＣ１、Ｃ２、Ｃ３が下水道３に設けられた第２の流路４まで流れて到着する。
【００２３】
ステップＳ７では、第２の流路４でカプセルＣが選別される。即ち、カプセルＣ１が第２の流路４ａ内に、カプセルＣ２が第２の流路４ｂ内に、カプセルＣ３が第３の流路４ｃ内に流入して選択され、それぞれがごみ処理施設５に搬送される。このステップＳ７が、第２の流路（４ａ、４ｂ、４ｃ）の各々に所定の寸法の容器を分別して流過させる工程である。
【００２４】
次に、図４〜図６により本発明の一実施形態について説明する。図４は、一実施形態を示す上面図であり、図５は図４の側断面図である。前記図１と図４とでは、第２の流路と、カプセルに異なる符号が付されている。
【００２５】
図４において、分別したごみを詰めたカプセルＣｈとＣｉとＣｊとＣｋが流下する通路２（図１参照）に下水道３の１部を構成する円柱状の選別機構９０が連通されている。カプセルは、サイズがＣｈ＞Ｃｉ＞Ｃｊ＞Ｃｋのように形成されている。
【００２６】
選別機構９０は、円形の外周方向に延在する仕切り壁９５を有する円盤状の第１のベッセル９５Ｖと、ベッセル９５Ｖより大径の仕切り壁９４を有する環状の第２のベッセル９４Ｖと、さらに大径の仕切り壁９３を有する環状の第３のベッセル９３Ｖと、さらに大径の仕切り壁９２を有する環状の第４のベッセル９２Ｖ、とが同心で円柱状に構成されている。
【００２７】
第１のベッセル９５Ｖは上部で、カプセルＣｈ、Ｃｉ、Ｃｊ、Ｃｋが混在して流過する通路２に連通されている。
【００２８】
仕切り壁９５には、第２のベッセル９４Ｖに連通する多数の開口部９５ａが設けられていて、その開口部９５ａは、最大のサイズを有するカプセルＣｈが流過せずにとどまり、他のカプセルＣｉ、Ｃｊ、Ｃｋが流過できるよう形成されている。
【００２９】
また、仕切り壁９４には、第３のベッセル９３Ｖに連通する多数の開口部９４ａが設けられていて、その開口部９４ａは、カプセルＣｉが流過せずにとどまり他のカプセルＣｊ、Ｃｋが流過できるよう形成されている。
【００３０】
同様に、仕切り壁９３には、第４のベッセル９２Ｖに連通する多数の開口部９３ａが設けられていて、その開口部９３ａは、カプセルＣｊが流過せずにとどまりカプセルＣｋが流過できるよう形成されている。
このように、開口部９５ａ＞９４ａ＞９３ａのように、半径方向外方に位置するほど開口部の径は小さくなるように設定されている。
【００３１】
各ベッセル９５Ｖ、９４Ｖ、９３Ｖ、９２Ｖには、それぞれ用の底部９５ｂ、９４ｂ、９３ｂ、９２ｂを備え、各底部９５ｂ、９４ｂ、９３ｂ、９２ｂにはカプセルＣｈ、Ｃｉ、Ｃｊ、Ｃｋを落下させ得る開閉式の底板が設けられている。
【００３２】
各底部９５ｂ、９４ｂ、９３ｂ、９２ｂには、ごみ処理施設５に通じる流路９５ｄ、９４ｄ、９３ｄ、９２ｄが設けられている。
【００３３】
最外部ベッセル９２Ｖの外壁９２の外周に半径方向外方にのびる複数の水車翼９２ａが設けられている。
【００３４】
選別機構９０は、図示しない電気、機関を動力源とし、また運河Ｒや下水道の水流Ｗａによって水車翼９２ａを押圧して選別機構９０を回転させ、その回転速度で発生する遠心力によってカプセルＣｈ、Ｃｉ、Ｃｊ、Ｃｋが各仕切り壁９５、９４、９３に押し付けられ、開口部９５ａ、９４ａ、９３ａを流過可能に構成されている。
【００３５】
上記構成の選別機構９０によれば、第１の流路から第１のベッセル９５Ｖに流入したカプセルＣｈ、Ｃｉ、Ｃｊ、Ｃｋは、開口部９５ａで最大径のカプセルＣｈが留められ、開口部９４ａでカプセルＣｉが留められ、開口部９３ａでカプセルＣｊが留められて、それぞれが第１、第２、第３のベッセル９５Ｖ、９４Ｖ、９３Ｖに貯留され、最小径のカプセルＣｋが第４のベッセル９２Ｖに貯留される。
【００３６】
第１〜第４のベッセル９５Ｖ、９４Ｖ、９３Ｖ、９２Ｖのどれかが所定量に達した時点で選別機構９０を休止させ、各底部９５ｂ、９４ｂ、９３ｂ、９２ｂを開放してカプセルＣｈ、Ｃｉ、Ｃｊ、Ｃｋを、それぞれ用の流路９５ｄ、９４ｄ、９３ｄ、９２ｄを介してごみ処理施設５に流入させる。
【００３７】
図６は、選別機構９０を複数にして貯留カプセルの送出用休止を無くし、常時運転させるための構成である。
並列に配置された選別機構９０Ａと９０Ｂのそれぞれに、第１の流路２Ａから分岐された流路２Ｂと２Ｃが連通され、流路案内弁Ｖｐによって選別機構９０Ａか９０Ｂのいずれかが作動するようになっている。この並列配置では、水流による動力を得るために、各選別機構９０Ａ、９０Ｂそれぞれに水流が接することが好ましい。あるいは、特定の一方が休止の場合には、水流でない他の動力による運転を行ってもよい。
【００３８】
なお、図示の一実施形態はあくまでも例示であり、本発明の技術的内容を限定するものではない。例えば、カプセルのサイズによって選別する方法とカプセルの比重によって選別する方法とを組み合わせることも可能である。
【００３９】
【発明の効果】
以上説明したように構成された本発明の作用効果を以下に示す。
（１）  下水道がごみの搬送システムとして利用されており、各家庭からの下水道の水流により、低コストで効率よく処理施設まで搬送し選択分別を行うことができる。
（２）  各家庭のシューターに、ごみを分別封入した容器を２４時間、何時でも投入し廃棄することができる。
（３）  下水道と処理施設との間（第２の流路）で、ごみは種類ごと自動的に選択分別されており、この種類をより細かく区分すれば、リサイクル率をさらに向上できる。
（４）  磁性体を有する容器を下水道下部に設けた磁力線発生機構で誘導させれば、確実な分別ができる。
（５）磁力線発生機構で磁性体を有する容器を誘導させる場合に、下水道の流速に応じた磁力線にすれば大雨等の多量な下水量でも確実な分別ができる。
【図面の簡単な説明】
【図１】  本発明のごみ搬送装置の基本概念を示す構成図。
【図２】  図１の第１の流路と下水道との間に開閉弁を設けた構成図。
【図３】  図１のごみ搬送装置によるごみ選別を示すフローチャート。
【図４】  本発明のごみ搬送装置の一実施形態を示す構成図。
【図５】  図４のごみ搬送装置の側断面図。
【図６】  図４のごみ搬送装置を２ケ並列に設置して、容器が累積した片方を休止して堆積容器を排出させる方式の配置上面図。
【符号の説明】
１・・・シューター
２・・・第１の流路
３・・・下水道
４ａ〜４ｃ、９５ｄ、９４ｄ、９３ｄ、９２ｄ・・・第２の流路
５・・・ごみ処理施設
Ｃ１〜Ｃ３、Ｃｈ、Ｃｉ、Ｃｊ、Ｃｋ、・・・容器（カプセル）
９０・・・選別機構
９２、９３、９４、９５・・・仕切り壁
９３ａ、９４ａ、９５ａ・・・開口部
【図１】
0003988983.tif 000002
【図２】
0003988983.tif 000003
【図３】
0003988983.tif 000004
【図４】
0003988983.tif 000005
【図５】
0003988983.tif 000006
【図６】
0003988983.tif 000007